(57)【要約】【課題】紐状装身具を環状に連結した場合でも、従来のように段差が生じず完全な輪状とすることが可能な装身具用留め具を提供する。【解決手段】複数の略球形状の宝飾部材が連綴された紐状装身具（不図示）の端部に被着され、前記略球形状の宝飾部材の一つを把持する装身具用留め具により、他端部の宝飾部材を把持して環状の形状を形成する場合に、半球部１２と１４とを閉鎖状態としたときに形成される略円形の孔４４を、宝飾部材を連綴する紐を挿通させるための開口部として用いる。これにより、紐状装身具は、環状に連結した場合であっても完全な輪状に形成される。【選択図】図１Ｃ
2017012578.tif 000002
【特許請求の範囲】
【請求項１】
複数の略球形状の宝飾部材が連綴された紐状装身具の端部に被着され、前記略球形状の宝飾部材の一つを把持する装身具用留め具であって、
前記装身具用留め具は、
中空略半球形状の第１の半球部と
中空略半球形状の第２の半球部と
前記第１の半球部及び前記第２の半球部を開閉自在に軸着するヒンジ部と
を具備し、
前記第１の半球部及び／又は前記第２の半球部の前記ヒンジ部と対向しない位置に、前記第１の半球部及び前記第２の半球部の閉鎖時に互いに係合し前記第１の半球部及び前記第２の半球部を係止する係止部を設け、前記第１半球部及び前記第２の半球部には、前記第１半球部及び前記第２の半球部の閉鎖時に形成される略球体の中心を通りヒンジ部の軸と平行な軸が貫通する、前記宝飾部材の最大径より小さい開口が前記略球体の左右に形成されるように、前記第１半球部及び前記第２の半球部にそれぞれ左右２つの切欠部が形成されるとともに、前記略球体の中心を通りヒンジ部の軸と直交する軸が貫通する、前記宝飾部材の最大径より小さい開口が前記係止部と近接して形成されるように、前記第１半球部及び前記第２の半球部にそれぞれ切欠部が形成されることを特徴とする装身具用留め具。
【請求項２】
請求項１に記載の装身具用留め具であって、更に、
前記第１の半球部及び前記第２の半球部を閉鎖方向に付勢する付勢部材を設けたことを特徴とする装身具用留め具。
【請求項３】
請求項１に記載の装身具用留め具であって、更に、
前記第１の半球部及び前記第２の半球部を所定の開閉位置を境に閉鎖方向又は解放方向に付勢する付勢部材を設けたことを特徴とする装身具用留め具。
【請求項４】
請求項１乃至３のいずれか１項に記載の装身具用留め具において、前記第１の半球部及び前記第２の半球部のそれぞれに、前記切欠部に隣接して前記宝飾部材に対して滑らかな表面を持つ壁部材を設けたことを特徴とする装身具用留め具。
【発明の詳細な説明】
【技術分野】
【０００１】
本発明は、装身具用留め具、例えば、真珠ネックレスの長さの調節や両端部の結合に好適な装身具用留め具に関する。
【背景技術】
【０００２】
従来、真珠が連綴された真珠ネックレスの端部に取り付けられた「パックマン」と通称される装身具用留め具を用いて、真珠ネックレスの中の真珠の１つを把持することにより、ネックレスの長さの調節を行っている（例えば、非特許文献１参照）。
【０００３】
上記「パックマン」は各種の製品が製造販売されているが、典型的には、図４（ａ），（ｂ）に示すように、２つの半球部２１２、２１４がヒンジ２１６により開閉自在に連結され、ヒンジ２１６に対向する位置に係止部材２１８が形成されている。また、２つの半球部２１２、２１４には、閉鎖時に真珠を連綴する紐が挿通する、真珠の最大径より小さい開口２２０が形成される（図４（ａ）参照）。
【先行技術文献】
【非特許文献】
【０００４】
【非特許文献１】http://j-kaneko.jp/?pid=23986472
【発明の概要】
【発明が解決しようとする課題】
【０００５】
しかしながら、図４の装身具用留め具では、装身具用留め具で端部以外の真珠を把持してＹ字型の形状を形成する場合にはその形状に特段の問題はないものの、装身具用留め具で端部の真珠を把持して環状の形状を形成する場合には、２つの半球部２１２、２１４のヒンジ２１６に対向する位置に係止部材２１８が形成されており、係止部材２１８により真珠を連綴する紐が通ることが妨げられることから、図５に示されるように真珠の連結部分に段差３００が生じて完全な輪状とすることができず、見た目や使用感が悪いという問題（第１の課題）があった。
【０００６】
また、図４の装身具用留め具では、２つの半球部が係止部材２１８で係止されているが、引っ掛かりにより係止されているだけなので、開閉回数が増大すると係止部材２１８の摩耗等により２つの半球部の係止が困難となるという問題（第２の課題）があった。
【０００７】
また、図４の装身具用留め具では、２つの半球部２１２、２１４がヒンジ２１６により連結されており、開閉回数が増大するとヒンジ２１６の摩耗等により２つの半球部２１２、２１４の解放位置を安定させることが困難となるという問題（第３の課題）があった。
【０００８】
さらに、図４の装身具用留め具では、２つの半球部２１２、２１４を閉鎖状態として、真珠を把持した際に、真珠が中で搖動して半球部２１２、２１４の表面の凹凸と接触し真珠の表面が傷付けられる恐れや、真珠の座りが安定せず不用意に力が加わった際に真珠が留め具から外れて脱落する恐れ（第４の課題）があった。
【課題を解決するための手段】
【０００９】
本発明は、上記各課題を解決するためになされたものであり、以下に詳述するような例示的な形態を有するものであるが、各形態の説明を行うに当たり、本発明中におけるいくつかの用語について留意点を記しておく。
・略球形状：真球形状のみではなく、真球形状から多少ずれている形状も包含する。
・略半球形状：厳密な半球形状のみではなく、半球形状から多少ずれている形状や、半球形状の一部が切り欠かれた形状も包含する。
・略球体：２つの半球部の閉鎖時に形成される球状の中空物体であるが、真球形状のみではなく、真球形状から多少ずれている形状も包含される。
・宝飾部材：真珠、珊瑚、瑪瑙、琥珀、水晶、ガラスや他の宝石類、中空又は中実のプラチナ、金、銀等の貴金属球、貴金属でメッキした中空又は中実の金属球、貴金属又は他の金属でメッキした中空又は中実の樹脂球やセラミック球等を包含する。
・紐状装身具：ネックレスのみではなく、ブレスレット、アームレット、アンクレット等を包含する。
【００１０】
本発明の一形態は、上記第１の課題を解決するものであり、複数の略球形状の宝飾部材が連綴された紐状装身具の端部に被着され、前記略球形状の宝飾部材の一つを把持する装身具用留め具であって、前記装身具用留め具は、中空略半球形状の第１の半球部と中空略半球形状の第２の半球部と前記第１の半球部及び前記第２の半球部を開閉自在に軸着するヒンジ部とを具備し、前記第１の半球部及び／又は前記第２の半球部の前記ヒンジ部と対向しない位置に、前記第１の半球部及び前記第２の半球部の閉鎖時に互いに係合し前記第１の半球部及び前記第２の半球部を係止する係止部を設け、前記第１半球部及び前記第２の半球部には、前記第１半球部及び前記第２の半球部の閉鎖時に形成される略球体の中心を通りヒンジ部の軸と平行な軸が貫通する、前記宝飾部材の最大径より小さい開口が前記略球体の左右に形成されるように、前記第１半球部及び前記第２の半球部にそれぞれ左右２つの切欠部が形成されるとともに、前記略球体の中心を通りヒンジ部の軸と直交する軸が貫通する、前記宝飾部材の最大径より小さい開口が前記係止部と近接して形成されるように、前記第１半球部及び前記第２の半球部にそれぞれ切欠部が形成される装身具用留め具に係るものである。
【００１１】
本発明の別の一形態は、上記第１の課題に加え第２の課題を解決するものであり、前記一形態に、更に、前記第１の半球部及び前記第２の半球部を閉鎖方向に付勢する付勢部材を設けた装身具用留め具に係るものである。
【００１２】
本発明の更に別の一形態は、上記第１〜第３の課題の全てを解決するものであり、前記一形態に、更に、前記第１の半球部及び前記第２の半球部を所定の開閉位置を境に閉鎖方向又は解放方向に付勢する付勢部材を設けた装身具用留め具に係るものである。
【００１３】
本発明の更に別の一形態は、上記第４の課題を解決するものであり、前記各形態において、更に、前記第１の半球部及び前記第２の半球部のそれぞれに、切欠部に隣接して宝飾部材に対して滑らかな表面を持つ壁部材を設けた装身具用留め具に係るものである。
【発明の効果】
【００１４】
本発明の一形態によれば、１つの装身具用留め具で、複数の略球形状の宝飾部材が連綴された紐状装身具を環状に連結したり、Ｙ字型の形状に連結したりすることが可能であり、環状に連結した場合でも、従来のように段差が生じず完全な輪状とすることができるので、見た目や使用感を良好にすることができる。
また、本発明の別の一形態によれば、係止位置において２つの半球部が閉鎖方向に付勢されているので、仮に係止部材が摩耗することがあっても２つの半球部の係止を維持することができる。
また、本発明の更に別の一形態によれば、係止位置において２つの半球部が閉鎖方向に付勢されているので、仮に係止部材が摩耗することがあっても２つの半球部の係止を維持することができるとともに、係止を解除する場合に、２つの半球部が所定の開閉位置から解放方向に向かって付勢されるので、２つの半球部の解放位置を安定させることができる。
さらに、本発明の更に別の一形態によれば、第１の半球部及び第２の半球部のそれぞれに、切欠部に隣接して宝飾部材に対して滑らかな表面を持つ壁部材を設けているので、宝飾部材が中で搖動しても宝飾部材の表面が傷付けられる可能性を低減することができるとともに、宝飾部材の座りを安定させることができ、不用意に力が加わった際に宝飾部材が装身具用留め具から外れて脱落することが防止できる。
【図面の簡単な説明】
【００１５】
【図１Ａ】図１Ａは、本発明による装身具用留め具の一実施形態の開放状態を表す斜視図である。
【図１Ｂ】図１Ｂは、本発明による装身具用留め具の一実施形態の開放状態を表す側面図である。
【図１Ｃ】図１Ｃは、本発明による装身具用留め具の一実施形態の閉鎖状態を表す斜視図である。
【図１Ｄ】図１Ｄは、本発明による装身具用留め具の一実施形態の閉鎖状態を表す側面図（裏側）である。
【図２】図２は、本発明による装身具用留め具の一実施形態を用いて端部以外の宝飾部材を把持してＹ字型の形状を形成する場合の態様を示す図である。
【図３】図３は、本発明による装身具用留め具の一実施形態を用いて端部の宝飾部材を把持して環状の形状を形成する場合の態様を示す図である。
【図４】従来技術における紐状装身具用留め具の一例の開放状態を表す斜視図である。
【図５】従来技術における紐状装身具用留め具の一例を用いて端部の宝飾部材を把持して環状の形状を形成する場合の態様を示す図である。
【発明を実施するための形態】
【００１６】
以下、本発明の装身具用留め具の実施形態を、図を参照して説明する。但し、本発明の技術的範囲は、それらの実施形態によって限定されるものではなく、特許請求の範囲の記載に基づき解釈されるべきものである。
【００１７】
図１Ａ〜図１Ｄには本発明の一実施形態である装身具用留め具１０が示されている。図１Ａ、図１Ｂは、本発明による装身具用留め具の一例の開放状態を表す斜視図、側面図である。図１Ｃは、本発明による装身具用留め具の一例の閉鎖状態を表す斜視図である。図１Ｄは、本発明による装身具用留め具の一実施形態の閉鎖状態を表す側面図（裏側）である。
【００１８】
装身具用留め具１０は、中空略半球形状の半球部１２と１４がヒンジ２２により開閉自在に軸着されており、その材質は、例えばプラチナ、金、銀等の貴金属や、またはその他の金属に金メッキや銀メッキ加工を施したものである。半球部１２には３つの略半円形の切欠部１２０、１２２、１２４が形成されており、同様に半球部１４にはこれと対向する位置に略半円形の切欠部１４０、１４２、１４４が形成されている。
【００１９】
また、半球部１２には３つの略半円形の切欠部１２０、１２２、１２４に隣接して、それぞれ、壁部材１２１、１２３、１２５が形成されており、同様に半球部１４には３つの略半円形の切欠部１４０、１４２、１４４に隣接して、それぞれ、壁部材１４１、１４３、１４５が形成されている。これらの壁部材は、宝飾部材に対して滑らかな表面を持っているので、宝飾部材が中で搖動しても宝飾部材の表面が傷付けられる可能性を低減することができるとともに、宝飾部材の座りを安定させることができ、不用意に力が加わった際に宝飾部材が装身具用留め具から外れて脱落することが防止できる。
【００２０】
半球部１２と１４とを閉鎖状態としたとき、切欠部１２０と１４０により略円形の孔４０が、切欠部１２２と１４２により略円形の孔４２が、切欠部１２４と１４４により略円形の孔４４がそれぞれ形成される。これら孔４０、４２、４４は、後述するように、宝飾部材を連綴する紐を挿通させるための開口部として機能する。
なお、上記態様においては、孔４０、４２、４４を略円形としてあるが、デザイン等の必要に応じて、三角、四角等の多角形や、星形等の略円形以外の形状を採用することもできる。
【００２１】
半球部１４には、切欠部１４４の両端部に近接した位置に突起状の係止部１５０、１５２が形成され、半球部１２には、半球部１４の突起状の係止部１５０、１５２を受け入れるための凹状の係止部（不図示）が形成されている。半球部１２と１４とを閉鎖状態としたときに、これらの係止部が互いに係合することにより、半球部１２と１４とが正確に位置合わせされ、強固に結合されることになる。また、係止部が互いに係合し強固に結合されることにより、宝飾部材が引っ張られる等により半球部１２、１４を開放させるような力が加わって宝飾部材が脱落しそうな場合であっても、係止部１５０、１５２により宝飾部材の脱落が防止されるという効果も奏する。
【００２２】
また、半球部１４に設けられた板バネ等の弾性部材３０と半球部１２に設けられたカム部材３２とが協働することにより、死点ばね機構が形成されている。即ち、当該死点ばね機構は、半球部１２と１４が開放位置にある場合には両者を開放方向に付勢し、開放状態から閉鎖状態への移行時に付勢力が最大となる死点を通過し、死点を通過した後は、半球部１２と１４を閉鎖方向に付勢するものである。また、当該死点ばね機構を用いて半球部１２と１４を閉鎖状態から解放状態へ移行させる場合には、閉鎖状態から解放状態への移行時に付勢力が最大となる死点を通過し、死点を通過した後は、半球部１２と１４を解放方向に付勢するものである。
【００２３】
なお、上記死点ばね機構に代えて、半球部１２と１４を常に閉鎖方向に付勢するばね機構を用いるようにしてもよい。また、ばね機構を省略し機構を簡素化するようにしてもよい。
【００２４】
半球部１２に設けられたリング状部材７０は、宝飾部材が連綴された紐状装身具の一端を装身具用留め具に被着させるための部材である。なお、リング状部材７０は、半球部１４に設けるようにしてもよい。
【００２５】
図２は、本発明による装身具用留め具１０の一実施形態を用いて端部以外の宝飾部材を把持してＹ字型の形状を形成する場合の態様を示す図である。
【００２６】
この場合には、宝飾部材を連綴する紐（不図示）が、略円形の孔４０、４２（図１Ｃ，図１Ｄ参照）を挿通することになる。
【００２７】
図３は、本発明による装身具用留め具１０の一実施形態を用いて他端部の宝飾部材を把持して環状の形状を形成する場合の態様を示す図である。
【００２８】
この場合には、宝飾部材を連綴する紐（不図示）が、略円形の孔４４（図１Ｃ参照）を挿通することになり、従来のように、係止部材により紐の挿通が妨害されることがなく、図５に示されるような段差３００が形成されることがない。
【００２９】
以上、本発明の実施の形態を、図面を参照しつつ説明してきたが、当業者であれば、他の類似する実施形態を使用することができること、また、本発明から逸脱することなく適宜形態の変更又は追加を行うことができることに留意すべきである。
【符号の説明】
【００３０】
１０                      装身具用留め具
１２、１４                半球部
２２                      ヒンジ
３０                      弾性部材
３２                      カム部材
４０、４２、４４          孔
７０                      リング状部材
１２０、１２２、１２４、１４０、１４２、１４４    切欠部
１２１、１２３、１２５、１４１、１４３、１４５    壁部材
１５０、１５２            係止部
２１２、２１４            半球部
２１６                    ヒンジ
２１８                    係止部材
【図１Ａ】
2017012578.tif 000003
【図１Ｂ】
2017012578.tif 000004
【図１Ｃ】
2017012578.tif 000005
【図１Ｄ】
2017012578.tif 000006
【図２】
2017012578.tif 000007
【図３】
2017012578.tif 000008
【図４】
2017012578.tif 000009
【図５】
2017012578.tif 000010